(57)【要約】【課題】  第２シリンダー錠の解錠キーだけでなく、第１シリンダー錠の施錠キーによっても解錠することができる扉用施錠装置を提供する。【解決手段】    基枠の正面板部に、施錠用の第１シリンダー錠７と解錠用の第２シリンダー錠８が、それぞれの錠軸の軸線を平行にして取着され、第１シリンダー錠の錠軸には、当接用アーム１９が錠軸と一体回動可能に取り付けられ、強制解錠操作用レバー２０と掛け金２とが回動可能に支持され、第２シリンダー錠は、掛け金の解錠位置において解錠キーが抜き取り不能とされた錠であり、その錠軸には、解錠操作用部材２６が錠軸と一体回動可能に取り付けられ、解錠用カム２７が回動可能に支持されており、掛け金と解錠用カムにコイルスプリング３２が係止され、掛け金のカム当接端縁と解錠用カムの当接部が当接してなる。【選択図】  図２
2008121262.tif 000002
【特許請求の範囲】
【請求項１】
基枠の正面板部に、施錠用の第１シリンダー錠と解錠用の第２シリンダー錠が、それぞれの錠軸の軸線を平行にして取着された扉用施錠装置において、
前記第１シリンダー錠は、錠軸が施錠キーにより所定角度回動可能とされた錠であり、該錠軸に、当接用アームが一体回動可能に取り付けられ、強制解錠操作用レバーと掛け金とがそれぞれ回動可能に支持され、
前記掛け金は、前記第１シリンダー錠の錠軸の施錠方向への回動により前記当接用アームが当接可能な当接突起部を有し、
前記強制解錠操作用レバーは、前記第１シリンダー錠の錠軸の反施錠方向への回動により前記当接用アームが当接可能な当接突部を有し、
前記第２シリンダー錠は、錠軸が解錠キーにより所定角度回動可能とされ、前記掛け金の解錠位置において解錠キーが抜き取り不能とされた錠であり、前記錠軸に、解錠操作用部材が一体回動可能に取り付けられ、解錠用カムが回動可能に支持され、
前記解錠用カムは、前記第２シリンダー錠の錠軸の解錠方向への回動により、前記解錠操作用部材に形成された突状部が係合可能な係合部と、前記第１シリンダー錠の錠軸の反施錠方向への回動により、前記当接用アームが前記強制解錠操作用レバーの当接突部に当接することで、前記強制解錠操作用レバーに形成された強制解錠用当接縁が当接可能な当接突起部を有し、
前記掛け金と前記解錠用カムに弾性部材が掛止され、その付勢力により、前記掛け金に形成された案内端縁と係合端縁からなるカム当接端縁と、前記解錠用カムに形成された当接部とが当接するようになっており、
前記掛け金が解錠位置でストッパーにより停止可能とされている
ことを特徴とする扉用施錠装置。
【請求項２】
前記掛け金は、板状であって、前記カム当接端縁は、円弧状の案内端縁と直線状の係合端縁からなり、前記当接突起部は、掛け金に形成された雌ネジに第１軸部材の雄ネジを螺合することで掛け金の前面から立設された第１軸部からなり、前記雄ネジは前記掛け金の背面から所定長さ延出しており、
前記解錠用カムは、板状であって、前記当接突起部は、解錠用カムに形成された雌ネジに第２軸部材の雄ネジを螺合することで解錠用カムの前面から立設された第２軸部からなり、前記雄ネジは前記解錠用カムの背面から所定長さ延出し、該雄ネジに筒状体が遊嵌されて前記当接部とされ、
前記第１軸部材の雄ネジの延出部と、前記第２軸部材の雄ネジに遊嵌された前記筒状体から更に延出した延出部に前記弾性部材が掛止されていること
を特徴とする請求項１記載の扉用施錠装置。
【請求項３】
前記弾性部材が、コイルスプリングであることを特徴とする請求項１または２記載の扉用施錠装置。
【請求項４】
前記ストッパーが、前記基枠の正面板部から後方に起立した側壁であることを特徴とする請求項１、２または３記載の扉用施錠装置。
【発明の詳細な説明】
【技術分野】
【０００１】
この発明は、扉用施錠装置に関するものである。さらに詳しくは、この発明は、施錠用の錠と解錠用の錠とを備えた扉用施錠装置に関するものである。
【背景技術】
【０００２】
ゲームセンター等において、例えば、営業者または管理者（以下、特に断らない限り「管理者等」という。）がロッカー内に賞品等を収納しておき、一方、プレーヤーが、所定のルールに従って、ロッカーを施錠している特定のキーを獲得し、その獲得したキーに対応するロッカーの扉を開いて中に収納されている賞品等を入手することができるようにしたゲームが行われている。
【０００３】
こういったゲームに使用されるロッカーの扉用施錠装置を、本願発明の発明者は提案している（特許文献１参照）。
特許文献１に記載の扉用施錠装置は、基枠の正面板部に、施錠用の第１シリンダー錠と、解錠用の第２シリンダー錠が、それぞれの錠軸の軸線を平行にして取着され、前記第１シリンダー錠は、錠軸が施錠キーにより所定角度回動可能とされた錠であり、前記錠軸には、錠軸の回動と一体に回動する当接用アームが取り付けられるとともに、該当接用アームとの当接突起部を備えた掛け金が回動可能に支持されており、前記第２シリンダー錠は、錠軸が解錠キーにより所定角度回動可能とされ、前記掛け金の解錠位置において解錠キーが抜き取り不能とされた錠であり、前記錠軸には、その回動と一体に回動するカムが取り付けられており、前記掛け金には、案内端縁と係合端縁からなるカム当接端縁が形成され、前記カムには、前記カム当接端縁に当接する当接部が設けられ、前記掛け金と前記カムに弾性部材が掛止され、その付勢力により、前記掛け金のカム当接端縁と前記カムの当接部とが当接するようになっており、前記掛け金は、解錠位置でストッパーにより停止可能とされている構成を有する。
【０００４】
この扉用施錠装置によれば、施錠キーにより第１シリンダー錠の施錠操作を行うだけで、掛け金を解錠位置から施錠位置にまで回動させて施錠ができ、解錠キーにより第２シリンダー錠の解錠操作を行うだけで、掛け金を施錠位置から解錠位置にまで戻し解錠することができることになる。
【０００５】
より具体的に説明すると、掛け金がストッパーに当接した解錠位置にあり、第２シリンダー錠から解錠キーが抜き取り不能とされた状態（カムは、掛け金の解錠位置に対応した位置にある。）において、施錠キーによる第１シリンダー錠の施錠操作を行うことで、第１シリンダー錠の錠軸の回動に伴い、当接用アームが掛け金の当接突起部に当接し、弾性部材の付勢力に抗しつつ、掛け金が錠軸の軸心を中心に施錠位置まで回動することになる。掛け金の第１シリンダー錠の錠軸の軸心を中心とする解錠位置から施錠位置に至るまでの回動は、弾性部材の付勢力により掛け金のカム当接端縁のうちの案内端縁とカムの当接部が当接した状態で行われる。そして、掛け金が施錠位置に至ると、弾性部材の付勢力により、瞬間的に、カムは第２シリンダー錠の錠軸の軸線を中心に反転回動し、所定角度位置で停止する。この位置で、掛け金の係合端縁とカムの当接部とが当接することで、掛け金が施錠位置から解錠方向へ回動できなくなり、掛け金が施錠位置にロックされるとともに、第２シリンダー錠から解錠キーが抜き取り可能な状態となる。
【０００６】
掛け金の施錠状態において、解錠キーによる第２シリンダー錠の解錠操作を行うことで、弾性部材の付勢力に抗しつつ、第２シリンダー錠の錠軸とともにカムが解錠方向に回動され、カムの当接部と掛け金の係合端縁との当接が解除されると、弾性部材の付勢力により、掛け金は、瞬時に第１シリンダー錠の錠軸の軸心を中心に回動してストッパーと当接した解錠位置に戻ることになる。
掛け金がストッパーと当接した解錠位置に戻ると、カムの当接部が掛け金の案内端縁に当接し、第２シリンダー錠は解錠キーによる操作ができなくなるとともに、第２シリンダー錠から解錠キーが抜き取り不能とされた状態となる。
【０００７】
従って、ゲームセンター等に設置されたロッカーの扉用施錠装置として使用した場合、管理者等が空のロッカー内に賞品等を収納し、扉を閉じた後、施錠キーによる第１シリンダー錠の施錠操作を行うだけで、前記したことから明らかなように掛け金が錠軸の軸心を中心に施錠位置まで回動し、扉を施錠することができる。そして、施錠キーと解錠キーとを抜き取り、解錠キーをゲームに供する。プレーヤーは、ゲームによって、特定のロッカーに用いられている解錠キーを獲得し、そのキーを用いて第２シリンダー錠の解錠操作を行うと、前記したことから明らかなように掛け金がストッパーと当接した解錠位置に至り、第２シリンダー錠から解錠キーが抜き取り不能とされた初期状態に戻ることになる。プレーヤーはロッカーの扉を開いて中に収納されている賞品等を獲得することはできるが、いたずらまたは不正目的で解錠キーを第２シリンダー錠から抜き取り、持ち去ることはできない。
【特許文献１】特開２００４−２４５０１５号公報
【発明の開示】
【発明が解決しようとする課題】
【０００８】
ところで、特許文献１に記載の扉用施錠装置が装着されたゲーム用のロッカーは、中に収納された賞品等を外から確認でき、プレーヤーの興味を惹くことができるように、透明窓を備えていることが多い。
このようなロッカーの場合、プレーヤーが、ゲームによって獲得した解錠キーに対応するロッカー内に収納されている賞品等を透明窓を通して確認したとき、賞品等が期待したものでないとか、気に入らないものだと、解錠キーを使用して賞品等を入手しないで解錠キーを持ち帰るようなことが生じる。持ち帰られた解錠キーは、後日使用される場合もないとはいえないが、紛失したりすることが多い。
【０００９】
プレーヤーが獲得した解錠キーを持ち帰り、長期間使用しなかったり、紛失したりすることは、ゲームの対象となるロッカーの数が減ることを意味し、他のプレーヤーにとっては解錠されないロッカー内の賞品等が欲しくても獲得できず、他のプレーヤーのゲームへの興味を低下させることになる。そこで、管理者等としては、解錠キーが持ち帰られてしまうことを想定して、全ての解錠キーの予備キーをあらかじめ準備しておくか、持ち帰られた解錠キーと同一のコードのキーを新調して、全てのロッカーがゲームの対象となるようにすることが必要となる。
【００１０】
ところで、予備または新調したキーを、解錠キーとしてゲームに供することは、持ち帰られた元の解錠キーと予備または新調した解錠キーとが併存することになり、以下に詳述するように好ましくない。
すなわち、予備または新調したキーを元の解錠キーに対応するロッカーの解錠キーとしてゲームに供すると、後日、元の解錠キーを所持した者がゲーム場に来た場合、前回とは気が変わって、ロッカー内の賞品等を入手したりすることや、管理者等がロッカーに別の賞品等を収納した後、元の解錠キーを所持した者がゲーム場に来た場合、ロッカーに収納された賞品等が満足のゆくものであれば、元の解錠キーを使用して賞品等を入手したりすることが起きる可能性がある。そうすると、このような状況において、ゲームに参加し、予備または新調した解錠キーを獲得したプレーヤーは、空のロッカーの解錠キーを獲得したことになり、ロッカーから賞品等を得ることができず、トラブルの原因となる。
予備または新調した解錠キーによってロッカーを解錠した後、扉用施錠装置を取り外し、別のロッカーの扉用施錠装置と交換することも考えられるが、同一ゲーム場では、元の解錠キーの持ち主が、そのキーに対応するロッカーを虱潰しに探せば、合致するものを探すことは可能であることから、前記したと同様なトラブル、すなわち、新たな解錠キーを獲得したプレーヤーは、ロッカーから賞品等を得ることができなくなる可能性は依然としてなくならない。なお、予備キーをゲームに供する解錠キーとして使用すると、予備キーで解錠せず、これを持ち帰ってしまうことが生じてもよいように、さらに、予備キーと同一コードのキーを新調しておくことが必要となる。
【００１１】
結局、プレーヤーによって獲得された解錠キーが持ち帰られ、長期間使用されない場合は、その解錠キーに対応するロッカーに収納された賞品等を受け取る権利を放棄したものとして、それと同一のコードのキーを予備キーとして常備するか新調して、ロッカーを解錠し、扉用施錠装置から、少なくとも予備または新調した解錠キーに対応する第２シリンダー錠を取り外し、ゲーム場には存在しない新規な別コードの第２シリンダー錠と交換することが、トラブル防止のためには好ましいといえる。
そうすると、管理者等にとって、予備または新調した解錠キーは、ロッカーを解錠するのに使用した後は、それに対応する第２シリンダー錠とともに廃棄することになり、ロッカーの施錠装置を一度解錠するだけのために予備キーを常備するか、または、新しいキーを新調するのは余分なコストを必要とすることになる。
【００１２】
この発明は、上記のような実情に鑑み鋭意研究の結果創案されたものであり、解錠キーだけでなく、施錠キーでも解錠することができる扉用施錠装置、とりわけ、プレーヤーによって獲得された解錠キーが持ち帰られた場合、それと同一のコードのキーを新調して、ロッカーを解錠する必要がなく、管理者等が所有している第１シリンダー錠用の施錠キーでも、ロッカーを解錠することができる扉用施錠装置を提供することを目的としている。
【課題を解決するための手段】
【００１３】
上記課題を解決するために、この発明は、（ｉ）基枠の正面板部に、施錠用の第１シリンダー錠と解錠用の第２シリンダー錠が、それぞれの錠軸の軸線を平行にして取着された扉用施錠装置において、前記第１シリンダー錠は、錠軸が施錠キーにより所定角度回動可能とされた錠であり、該錠軸に、当接用アームが一体回動可能に取り付けられ、強制解錠操作用レバーと掛け金とがそれぞれ回動可能に支持され、前記掛け金は、前記第１シリンダー錠の錠軸の施錠方向への回動により前記当接用アームが当接可能な当接突起部を有し、前記強制解錠操作用レバーは、前記第１シリンダー錠の錠軸の反施錠方向への回動により前記当接用アームが当接可能な当接突部を有し、前記第２シリンダー錠は、錠軸が解錠キーにより所定角度回動可能とされ、前記掛け金の解錠位置において解錠キーが抜き取り不能とされた錠であり、前記錠軸に、解錠操作用部材が一体回動可能に取り付けられ、解錠用カムが回動可能に支持され、前記解錠用カムは、前記第２シリンダー錠の錠軸の解錠方向への回動により、前記解錠操作用部材に形成された突状部が係合可能な係合部と、前記第１シリンダー錠の錠軸の反施錠方向への回動により、前記当接用アームが前記強制解錠操作用レバーの当接突部に当接することで、前記強制解錠操作用レバーに形成された強制解錠用当接縁が当接可能な当接突起部を有し、前記掛け金と前記解錠用カムに弾性部材が掛止され、その付勢力により、前記掛け金に形成された案内端縁と係合端縁からなるカム当接端縁と、前記解錠用カムに形成された当接部とが当接するようになっており、前記掛け金が解錠位置でストッパーにより停止可能とされていることを特徴とする。
【００１４】
これによれば、施錠キーにより第１シリンダー錠の施錠操作を行うだけで、掛け金を解錠位置から施錠位置にまで回動させて施錠ができ、解錠は、解錠キーによって第２シリンダー錠を操作して行う通常解錠と、施錠キーによって第１シリンダー錠を操作して行う強制解錠との２種のいずれかで可能となる。
すなわち、施錠キーによる第１シリンダー錠の錠軸の施錠方向への回動によって、前記当接用アームを前記掛け金の当接突起部に当接させ、掛け金を解錠位置から施錠位置に回動させて、前記弾性部材の付勢力により、前記解錠用カムの当接部が掛け金の係合端縁に当接した施錠状態とすることができ、前記施錠状態において、解錠キーによる第２シリンダー錠の錠軸の解錠方向への回動によって、前記解錠用操作部材の突状部を解錠用カムの係合部に係合させて解錠用カムを回動させるか、または、施錠キーによる第１シリンダー錠の錠軸の反施錠方向への回動によって、前記当接用アームを前記強制解錠操作用レバーの当接突部に当接させて、強制解錠操作用レバーを回動させることで、前記解錠用カムを回動させ、前記解錠用カムの当接部と掛け金の係合端縁との当接を解除させ、前記弾性部材の付勢力により、掛け金を施錠位置から解錠位置に復帰させることができる。
【００１５】
以下、更に詳述する。
掛け金がストッパーに当接した解錠位置にあり、第２シリンダー錠から解錠キーが抜き取り不能とされた状態（解錠用カム、解錠操作用部材は、掛け金の解錠位置に対応した位置にある。）において、施錠を行うには、施錠キーを操作して、第１シリンダー錠の錠軸を施錠方向へ回動させると、先ず、当接用アームが掛け金の当接突起部に当接し、次いで、当接用アームと掛け金の当接突起部が当接した状態のまま、弾性部材の付勢力に抗しつつ、掛け金を錠軸の軸心を中心に施錠位置まで回動させることができる。掛け金の第１シリンダー錠の錠軸を中心とする解錠位置から施錠位置に至るまでの回動は、弾性部材の付勢力により掛け金のカム当接端縁のうち案内端縁と解錠用カムの当接部が当接した状態で行われる。そして、掛け金が施錠位置に至ると、弾性部材の付勢力により、瞬間的に、掛け金の係合端縁と解錠用カムの当接部との当接に切り替わり、掛け金が施錠位置にロックされることになる。この状態において、解錠キーを操作し、第２シリンダー錠の錠軸を解錠キーが抜き取り可能な位置にまで回動させることで、解錠キーを抜き取ることができる。
【００１６】
掛け金の施錠状態において、通常解錠を行うには、解錠キーを操作し、第２シリンダー錠の錠軸を解錠方向へ回動させ、解錠操作用部材の突状部を解錠用カムの係合部に係合させて、弾性部材の付勢力に抗しつつ解錠用カムを錠軸の軸心を中心に解錠方向へ回動させ、解錠用カムの当接部と掛け金の係合端縁との当接を解除すると、弾性部材の付勢力により、掛け金は、瞬時に第１シリンダー錠の錠軸の軸心を中心に回動してストッパーと当接した解錠位置に戻ることになる。
なお、解錠用カムの当接部と掛け金の係合端縁との当接が解除された後、掛け金が解錠位置に戻るのが瞬時に行われるから、その際の、掛け金の案内端縁と解錠用カムの当接部は当接していてもよいし、当接していなくてもよい。掛け金がストッパーと当接した解錠位置に戻ると、解錠用カムの当接部が掛け金の案内端縁に当接し、第２シリンダー錠は解錠キーによる操作ができなくなるとともに、解錠キーが抜き取り不能とされた状態となる。
【００１７】
掛け金の施錠状態において、強制解錠を行うには、施錠キーを操作して、第１シリンダー錠の錠軸を反施錠方向に回動させると、先ず、当接用アームが回動して強制解錠操作用レバーの当接突部に当接し、次いで、強制解錠用操作レバーが錠軸と同方向に回動し、強制解錠用操作レバーの強制解錠用当接縁により解錠用カムの当接突起部が押され、弾性部材の付勢力に抗し、解錠用カムが第２シリンダー錠の錠軸を中心に解錠方向に回動させられ、解錠用カムの当接部と掛け金の係合端縁との当接が解除すると、弾性部材の付勢力により、掛け金は、瞬時に第１シリンダー錠の錠軸の軸心を中心に回動してストッパーと当接した解錠位置に戻ることになる。
【００１８】
従って、例えば、ゲームセンター等に設置されたロッカーの扉用施錠装置として使用した場合、管理者等が空のロッカー内に賞品等を収納し、扉を閉じた後、施錠キーを操作して、第１シリンダー錠の錠軸を施錠方向へ回動させるだけで、前記したことから明らかなように掛け金が錠軸の軸心を中心に施錠位置まで回動し、扉を施錠することができる。
そして、施錠キーと解錠キーとを抜き取り、解錠キーをゲームに供する。プレーヤーが、ゲームによって解錠キーを獲得し、それに対応したロッカーの第２シリンダー錠の解錠操作を行うと、前記したことから明らかなように掛け金は、施錠位置からストッパーと当接した解錠位置に戻り、第２シリンダー錠から解錠キーが抜き取り不能とされた初期状態に戻ることになる。プレーヤーは、ロッカーの扉を開き、収納されている賞品等を取り出すことができる。
【００１９】
プレーヤーが、獲得した解錠キーを用いて扉を解錠せず、解錠キーを持ち帰った場合、管理者等は、施錠キーを操作して、第１シリンダー錠の錠軸を反施錠方向に回動させるだけで、前記したことから明らかなように、掛け金を施錠位置からストッパーと当接した解錠位置に戻すことができる。
【００２０】
このように、この扉用施錠装置によれば、施錠は、施錠キーによって第１シリンダー錠の施錠操作をするだけで確実に行われ、簡便である。また、解錠キーによって第２シリンダー錠の解錠操作をするだけで、瞬時に掛け金が解錠位置に戻ってしまい、掛け金は途中の状態に一時的にでも維持することができないことから、掛け金による扉の施錠が外れるだけのところまで解錠キーを操作して、扉を開き、次いで、解錠キーを操作前の状態に戻して掛け金を施錠位置の状態にするようなことはできず、例えば、単に、ロッカー中に収納された賞品等を獲得できるだけであって、いたずらまたは不正目的で解錠キーを第２シリンダー錠から抜き取り、持ち去ることはできない。
そして、プレーヤーが、獲得した解錠キーを用いて扉を開くことなく、解錠キーを持ち帰った場合、管理者等は、施錠キーを操作して、第１シリンダー錠の錠軸を反施錠方向に回動させるだけで解錠でき、ロッカーから扉用施錠装置を取り外し、第２シリンダー錠を交換することで、トラブルの発生を防止できることになる。
そして、この扉用施錠装置は、部品点数が少なく、構造が簡単で故障等が生じにくく、堅牢であり、コンパクトであって、組立も容易で、製造コストの低いものである。
【００２１】
（ｉｉ）前記掛け金は、板状であって、前記カム当接端縁は、円弧状の案内端縁と直線状の係合端縁からなり、前記当接突起部は、掛け金に形成された雌ネジに第１軸部材の雄ネジを螺合することで掛け金の前面から立設された第１軸部からなり、前記雄ネジは前記掛け金の背面から所定長さ延出しており、前記解錠用カムは、板状であって、前記当接突起部は、解錠用カムに形成された雌ネジに第２軸部材の雄ネジを螺合することで解錠用カムの前面から立設された第２軸部からなり、前記雄ネジは前記解錠用カムの背面から所定長さ延出し、該雄ネジに筒状体が遊嵌されて前記当接部とされ、前記第１軸部材の雄ネジの延出部と、前記第２軸部材の雄ネジに遊嵌された前記筒状体から更に延出した延出部に前記弾性部材が掛止されていることが好ましい。
これによれば、構成部品が市販品等を使用でき、安価であり、また、組立、交換等に際しての取扱いが容易である。
【００２２】
（ｉｉｉ）前記弾性部材が、コイルスプリングであることが好ましい。コイルスプリングは、市販品が使用でき、安価であり、また、組立、交換等に際しての取扱いが容易である。
【００２３】
（ｉｖ）前記ストッパーが、前記基枠の正面板部から後方に起立した側壁であることが好ましい。これによれば、基枠を頑丈にできるとともに、別途ストッパーとしての別部材を必要としない。
【発明の効果】
【００２４】
この発明の扉用施錠装置は、以上説明したように構成されているので、以下に記載されるような効果を奏する。
すなわち、施錠は、施錠キーによって第１シリンダー錠の施錠操作をするだけで確実に行われ、簡便である。また、解錠キーによって第２シリンダー錠の解錠操作をするだけで、瞬時に掛け金が解錠位置に戻ってしまい、掛け金は途中の状態に一時的にでも維持することができないことから、掛け金による扉の施錠が外れるだけのところまで解錠キーを操作して、扉を開き、次いで、解錠キーを操作前の状態に戻して掛け金を施錠位置の状態にするようなことはできず、例えば、単に、ロッカー中に収納された賞品等を獲得できるだけであって、いたずらまたは不正目的で解錠キーを第２シリンダー錠から抜き取り、持ち去ることはできない。
そして、プレーヤーが、獲得した解錠キーを用いて扉を開くことなく、解錠キーを持ち帰った場合、管理者等は、施錠キーを操作して、第１シリンダー錠の錠軸を反施錠方向に回動させるだけで解錠でき、ロッカーから扉用施錠装置を取り外し、第２シリンダー錠を交換することで、トラブルの発生を防止できることになる。
そして、この扉用施錠装置は、部品点数が少なく、構造が簡単で故障等が生じにくく、堅牢であり、コンパクトであって、組立も容易で、製造コストの低いものである。
【発明を実施するための最良の形態】
【００２５】
以下、図面に基づきこの発明の最良の形態を更に詳細に説明する。もちろんこの発明は以下の態様によって限定されるものではない。
図１は、この発明の扉用施錠装置の一形態の背面からの一部分斜視図、図２は、裏蓋を除いた分解斜視図である。
これらの図においては、扉用施錠装置１の掛け金２が解錠位置にある状態として示されている。
【００２６】
扉用施錠装置１の基枠３は、金属板を平面視コ字状に折り曲げて形成されたものであって、正面板部４と、該正面板部４の左右に設けられた後方に向かう側壁５、６からなる。正面板部４の上方位置に施錠用の第１シリンダー錠７が、下方位置に解錠用の第２シリンダー錠８が、それぞれの錠軸９、１０の軸線を平行にして取着されている。第１シリンダー錠７の正面板部４への取着は、正面板部４の上方位置に穿設された錠挿通用の孔１２に、正面板部４の表面側から第１シリンダー錠７を錠軸９を先にして挿通し、正面板部４の背面側に出た外筒の外周に形成されたネジ山に取付ナット１３を螺合させることで行われている。同様にして、第２シリンダー錠８の正面板部４への取着は、正面板部４の下方位置に穿設された錠挿通用の孔１４に、正面板部４の表面側から第２シリンダー錠８を錠軸１０を先にして挿通し、正面板部４の背面側に出た外筒の外周に形成されたネジ山に取付ナット１５を螺合させることで行われている。
【００２７】
第１シリンダー錠７の錠軸９には、所定の角度位置に２つの爪を有する回動規制板１６が嵌め込まれており、錠軸９と一体に回動する。第１シリンダー錠７の外筒には、前記回動規制板１６の爪が当接し、錠軸９の回動を所定角度に規制する係止片１７が突設している。従って、錠軸９は、回動規制板１６の一方の爪が外筒の係止片１７の一辺に当接した位置と他方の爪が係止片１７の他片に当接する角度との間で規制され、施錠方向（図１、図２における「反時計方向」）、または、反施錠方向（図１、図２における「時計方向」）に所定角度回動する。
また、錠軸９には、板状の当接用アーム１９の基端部が嵌め込まれ、当接用アーム１９が錠軸９と一体に回動するようになっている。そして、錠軸９には、板状の強制解錠操作用レバー２０に穿設された軸受嵌合用孔２０ａと板状の掛け金２に穿設された軸受嵌合用孔２ａに嵌め合わされた軸受２１を介して、強制解錠操作用レバー２０と掛け金２がそれぞれ回動可能に支持されている。締め付けナット２２を錠軸９に形成されたネジ山に螺合させ、後方より軸受２１、当接用アーム１９、回動規制板１６が、その順で錠軸９に装着されている。
【００２８】
当接用アーム１９は、平面視長円形状であって、錠軸９の施錠方向または反施錠方向への回動により、後述するように掛け金２の第１軸部２３ｂと当接したり、強制解錠操作用レバー２０の当接突部２０ｂと当接することになる。
【００２９】
強制解錠操作用レバー２０は、平面視稍幅広のＬ字形状であって、図２における左側縁が前方に折り曲げられ、短冊状の当接突部２０ｂが形成され、下端縁は、強制解錠用当接縁２０ｃとなっている。
【００３０】
掛け金２は、平面視逆さ扇形状であって、前記軸受嵌合用孔２ａの近傍で右斜縁寄りに雌ネジ２ｂが形成されている。後述する解錠用カムに装着された筒状体と当接する円弧状の案内端縁２ｃと、直線状の係合端縁２ｄとは、カム当接端縁を構成する。掛け金２の雌ネジ２ｂには、第１軸部材２３の雄ネジ２３ａが螺合され、掛け金２の前面から第１軸部２３ｂが立設し、掛け金２の背面から雄ネジ２３ａが延出している。
【００３１】
第２シリンダー錠８の錠軸１０には、所定の角度位置に２つの爪を有する回動規制板２４が嵌め込まれており、錠軸１０と一体に回動する。第２シリンダー錠８の外筒には、前記回動規制板２４の爪が当接し、錠軸１０の回動を所定角度に規制する係止片２５が突設している。従って、錠軸１０は、回動規制板２４の一方の爪が外筒の係止片２５の一辺に当接した位置と他方の爪が係止片２５の他片に当接する角度との間で規制され、解錠方向（図１、図２における「時計方向」）、または、解錠キーを抜き取り可能とする方向（図１、図２における「反時計方向」）に所定角度回動する。第２シリンダー錠８は、前記掛け金２の解錠位置においては、解錠キー１８が抜き取り不能とされている。
また、錠軸１０には、板状の解錠操作用部材２６が嵌め込まれ、錠軸１０と一体に回動するようになっており、板状の解錠用カム２７は、穿設された軸受嵌合用孔２７ａに嵌め合わされた軸受２８を介して、回動可能に支持されている。締め付けナット２９を錠軸１０に形成されたネジ山に螺合させ、後方より軸受２８、解錠操作用部材２６、回動規制板２４が、その順で錠軸１０に装着されている。
【００３２】
解錠操作用部材２６は、平面視略正方形状であって、一端縁から後方に向かう爪状の突状部２６ａが形成されている。
【００３３】
解錠用カム２７は、平面視矩形状板の一側に張出部が延出した形状で、該張出部の基部が解錠操作用部材２６の突状部２６ａと係合する係合部２７ｂとして機能するようになっており、張出部の先端部には雌ネジ２７ｃ形成されている。雌ネジ２７ｃには、第２軸部材３０の雄ネジ３０ａが螺合され、解錠用カム２７の前面から第２軸部３０ｂが立設し、解錠用カム２７の背面から雄ネジ３０ａが延出している。該雄ネジ３０ａの一部に筒状体３１が遊嵌され、該筒状体３１が雄ネジ３０ａに対し回転自在となっている。雄ネジ３０ａは遊嵌された筒状体３１から更に稍後方に延出しており、該延出部は、コイルスプリング３２の掛止部として用いられる。
【００３４】
コイルスプリング３２の一端が、掛け金２の背面側から延出した雄ネジ２３ａに掛止され、他端が解錠用カム２７の背面側から延出した雄ネジ３０ａの延出部に掛止され、コイルスプリング３２の付勢力によって、掛け金２の案内端縁２ｃと解錠用カム２７に装着された筒状体３１とが当接しており、掛け金２の係合端縁２ｄは、前記基枠３の左側壁５の内面に当接した解錠位置にあり、掛け金２の右斜縁は、右側壁６に形成されたスリット６ａからわずか側方に露出している状態となっている。基枠３の左側壁５は、掛け金２を解錠位置で停止させるストッパーとして機能する。
【００３５】
図１に示されるように、基枠３に裏蓋３３を被せて密閉することで、内部が保護できるようになっている。このような裏蓋３３によって密閉構造とすることで、例えば、先端にフックが形成されたピアノ線のような不正操作具による不正操作を防止することができる。裏蓋は、金属板を折り曲げて形成されたもので、基枠３の右側壁６のスリット６ａと係止する係止部３４ａを備えた右側板部３４、背面板部３５、基枠３の左側壁５との重ね合わせ用の左側板部３６、上面板部３７、および、下面板部３８とからなる。そして、左側板部３６には、透孔３６ａが穿設されており、該透孔３６ａと基枠３の左側壁５に形成されたネジ孔５ａと合致させ、裏蓋３３が基枠３に止めネジで固定される。基枠３の右側壁６のスリット６ａの幅は、裏蓋３３の係止部３４ａがスリット６ａに係止した状態において、掛け金２が通過できるだけの幅となるように設定されており、掛け金２を施錠位置にして回動式の扉を施錠したとき、無理に扉を開けようとしても、掛け金２が支えられることになり、無理な力が第１シリンダー錠７の錠軸９等にかかることを防止できる。
基枠３の正面板部４の上下端縁近傍には、扉用施錠装置を扉等に取り付けるための透孔４ａ、４ａが穿設されている。
【００３６】
この扉用施錠装置１によれば、施錠キー３９により第１シリンダー錠７の施錠操作を行うだけで、掛け金２を解錠位置から施錠位置にまで回動させて施錠ができ、解錠は、解錠キー１８によって第２シリンダー錠８の操作を行う通常解錠と、施錠キー３９によって第１シリンダー錠の操作を行う強制解錠とが可能となる。
【００３７】
以下、更に詳細に説明する。
先ず、掛け金２が解錠位置にある状態からの施錠操作について説明する。図３は、施錠操作についての説明図である。図３（ａ）は、図１、図２に示されていると同様、掛け金２が解錠位置にある状態を示しており、掛け金２の係合端縁２ｄは、基枠３の左側壁５の内面に当接した解錠位置にあり、掛け金２は、右側壁６に形成されたスリット６ａからわずか側方に露出した状態となっている。当接用アーム１９は下方を向いており、強制解錠操作用レバー２０は、当接突部２０ｂが基枠３の左側壁５と平行な状態になっている。
【００３８】
解錠用カム２７は、コイルスプリング３２の付勢力により、該解錠用カム２７に装着された筒状体３１が掛け金２の案内端縁２ｃに当接した位置にある。この状態において、第２シリンダー錠８に差し込まれた解錠キー１８は、抜き取り不能となっている。なお、この状態では、第２シリンダー錠８に差し込まれた解錠キー１８は、掛け金２の案内端縁２ｃに解錠操作用部材２６の突状部２６ａが略当接し、障害となって反時計方向には殆ど回動できず、また、図２に示す第２シリンダー錠８の錠軸１０に設けられた回動規制板２４の右側の爪が係止片２５に当接して停止されることになり、時計方向にも回動できない。第２軸部３０ｂ（図２参照）と強制解錠操作用レバー２０の強制解錠用当接縁２０ｃとの間には僅かに間隙がある。また、解錠操作用部材２６の突状部２６ａは、解錠用カム２７の係合部２７ｂと略接触した状態にある。
【００３９】
この状態において、施錠キー３９を第１シリンダー錠７に差し込み施錠方向に回すと、第１シリンダー錠７の錠軸９とともに当接用アーム１９が反時計方向に回動し、掛け金２に取り付けられた第１軸部２３ｂと当接し、次いで、当接用アーム１９と第１軸部２３ｂが当接した状態のまま、コイルスプリング３２の付勢力に抗しつつ、掛け金２が、第１シリンダー錠７の錠軸９の軸心を中心に反時計方向に回動し、右側壁６から側方に張り出すことになる（図３（ｂ）参照）。掛け金２の第１シリンダー錠７の錠軸９を中心とする解錠位置から施錠位置に至るまでの回動は、コイルスプリング３２の付勢力により掛け金２のカム当接端縁のうち案内端縁２ｃと解錠用カム２７の筒状体３１が当接した状態で行われる。なお、解錠状態において、当接用アーム１９と掛け金２の第１軸部２３ｂとが接触していてもよいことは明らかである。
【００４０】
掛け金２が施錠位置にまで回動すると、解錠用カム２７の筒状体３１と掛け金２の案内端縁２ｃとの当接から、コイルスプリング３２の付勢力により、瞬間的に解錠用カム２７の筒状体３１と掛け金２の係合端縁２ｄと当接に切り替わり、掛け金２が施錠位置にロックされた施錠状態となる（図３（ｃ）参照）。
第１シリンダー錠７の錠軸９は、回動規制板１６の爪の開き度に応じ回動可能となっており、施錠方向と反対方向に回動させることができる。従って、施錠状態において、施錠キー３９を施錠方向と反対方向に操作することで、錠軸９とともに当接用アーム１９を時計方向に回動させ、図３（ｄ）の施錠操作開始時の位置まで戻すと、施錠キー３９を第１シリンダー錠７から抜き取ることができる。
【００４１】
また、図３（ｃ）の状態においては、解錠操作用部材２６の突状部２６ａは、掛け金２の案内端縁２ｃと当接することがないことから、第２シリンダー錠８に差し込まれた解錠キー１８は、解錠方向と反対方向に回すことができ、解錠キー１８を操作して錠軸１０とともに解錠操作用部材２６を反時計方向へ回動させ、解錠操作用部材２６の突状部２６ａが図３（ｄ）の角度位置となると、解錠キー１８を第２シリンダー錠８から抜き取ることができる。従って、解錠キー１８は、キー取りゲームに供することができる。
【００４２】
次に、掛け金２が施錠位置にある状態からの通常解錠操作について説明する。図４は、解錠操作についての説明図である。図４（ａ）は、掛け金２が施錠位置にあり、施錠キー３９は、第１シリンダー錠７から抜き取られており、一方、第２シリンダー錠８には、解錠キー１８が差し込まれた状態として示している。
【００４３】
この状態において、解錠キー１８を解錠方向に回すと、第２シリンダー錠８の錠軸１０とともに解錠操作用部材２６が時計方向に回動し、図４（ｂ）に示すように解錠操作用部材２６の突状部２６ａが解錠用カム２７の係合部２７ｂと係合する。更に解錠キー１８を回すと、突状部２６ａと係合部２７ｂが係合した状態で、解錠操作用部材２６とともに解錠用カム２７がコイルスプリング３２の付勢力に抗しつつ時計方向に回動し、解錠用カム２７の筒状体３１と掛け金２の係合端縁２ｄとの当接が解除される。すると、コイルスプリング３２の付勢力により、掛け金２は、瞬時にして第１シリンダー錠７の錠軸９を中心に時計方向に回動して、基枠３の左側壁５の内面に当接した解錠位置にまで戻る（図４（ｃ）参照）。これによって、解錠キー１８は、第２シリンダー錠８から抜き取り不能の状態となり、図３（ａ）で示す初期状態に戻ることになる。
【００４４】
次に、掛け金２が施錠位置にある状態からの強制解錠操作について説明する。図５は、強制解錠操作についての説明図である。図５（ａ）は、掛け金２が施錠位置にあり、第２シリンダー錠８から解錠キー１８が抜き取られており、一方、第１シリンダー錠７には、施錠キー３９が差し込まれた状態を示している。
【００４５】
この状態において、施錠キー３９を施錠方向と反対方向に回すと、第１シリンダー錠７の錠軸９とともに当接用アーム１９が時計方向に回動し、図５（ｂ）に示すように強制解錠操作用レバー２０の当接突部２０ｂに当接する。次いで、強制解錠操作用レバー２０が当接用アーム１９と同方向に回動し、強制解錠操作用レバー２０の強制解錠用当接縁２０ｃによって解錠用カム２７の第２軸部３０ｂ（図２参照）が押され、コイルスプリング３２の付勢力に抗し、解錠用カム２７は第２シリンダー錠８の錠軸１０の軸心を中心に時計方向に回動し、解錠用カム２７の筒状体３１と掛け金２の係合端縁２ｄとの当接が解除される。すると、コイルスプリング３２の付勢力により、掛け金２は、瞬時にして第１シリンダー錠７の錠軸９を中心に時計方向に回動して、基枠３の左側壁５の内面に当接した解錠位置にまで戻る（図５（ｃ）参照）。これによって、施錠キー３９によって強制解錠することができる。
【００４６】
次に、この扉用施錠装置１が、ゲームセンター等に設置されたロッカーの扉に装着された場合を例にして、更に、説明する。
図６、図７は、ロッカーの一部を示し、図６は、この扉用施錠装置１がロッカー用扉に装着された平面図、図７は、正面図である。
【００４７】
図６、図７におけるロッカーの扉４１は、回動式の左開きの扉（いわゆる、左掛け扉）として示されており、扉用施錠装置１は、透孔４ａ、４ａを利用して扉４１の左端にネジ止めされ（図示せず）、ネジを覆うようにして、扉４１の前面には、表板４２が取り付けられている。第１シリンダー錠７の錠面７ａと、第２シリンダー錠８の錠面８ａは表板４２から露出している。表板４２は扉の左端から稍張り出しており、縦枠４４の前面に当接した状態となっている。扉４１は透明窓４５を備えており、ロッカー内に収納された賞品等が、外から見えるようになっている。
【００４８】
図６、図７においては、ロッカー内に賞品等（図示せず）が収納されて、扉用施錠装置１の掛け金２が縦枠４４に設けられた係止部４４ａに係止した施錠状態にある。扉用施錠装置１が施錠状態にあることから、施錠キー３９、解錠キー１８は抜き取られている。
図６、図７に示す施錠状態にするには、以下のようにして行えばよい。すなわち、管理者等は、解錠キーが付いた空のロッカーの扉を開き、ロッカー内に賞品等を収納し、解錠キー１８が付いた状態において、扉を閉じた後、施錠キー３９を用いて第１シリンダー錠７の施錠操作を行う。施錠キー３９による施錠操作を行うことで、前記したことから明らかなように掛け金２が錠軸９の軸心を中心に施錠位置まで回動し、ロッカーを施錠状態とすることができる。その後、施錠キー３９と解錠キー１８とを抜き取る。
【００４９】
そして、図６、図７に示す施錠状態において、管理者等は施錠キー３９を手元に保管し、解錠キー１８をゲームに供する。プレーヤーは、ゲームによって、特定のロッカーに用いられている解錠キー１８を獲得したら、その解錠キー１８によって第２シリンダー錠８の解錠操作を行うと、前記したことから明らかなように掛け金２が解錠位置となり、ロッカーの扉を開けて賞品等を得ることができる。扉用施錠装置１は、第２シリンダー錠８から解錠キー１８が抜き取り不能とされた初期状態（図３（ａ）参照）に戻ることになる。
【００５０】
プレーヤーが、獲得した解錠キー１８を用いて扉を解錠せず、解錠キー１８を持ち帰った場合、管理者等は、施錠キー３９を操作して、第１シリンダー錠７の錠軸９を反施錠方向に回動させるだけで、前記したことから明らかなように、掛け金２を施錠位置から左側壁５と当接した解錠位置に戻し、扉４１を開けることができる。
このように、この扉用施錠装置によれば、施錠は、施錠キーによって第１シリンダー錠の施錠操作をするだけで確実に行われ、簡便である。また、解錠キーによって第２シリンダー錠の解錠操作をするだけで、瞬時に掛け金が解錠位置に戻ってしまい、掛け金は途中の状態に一時的にでも維持することができないことから、掛け金による扉の施錠が外れるだけのところまで解錠キーを操作して、扉を開き、次いで、解錠キーを操作前の状態に戻して掛け金を施錠位置の状態にするようなことはできず、例えば、単に、ロッカー中に収納された賞品等を獲得できるだけであって、いたずらまたは不正目的で解錠キーを第２シリンダー錠から抜き取り、持ち去ることはできない。
【００５１】
そして、プレーヤーが、獲得した解錠キーを用いてロッカーの扉を開くことなく、解錠キーを持ち帰った場合、管理者等は、施錠キーを操作して、第１シリンダー錠の錠軸を反施錠方向に回動させるだけで解錠でき、ロッカーから扉用施錠装置を取り外し、第２シリンダー錠を交換することで、トラブルの発生を防止できることになる。なお、多数のロッカーに取り付けた扉用施錠装置の施錠キーを共通キーとすれば、１つの施錠キーだけで、多数のロッカーの扉を解錠できることになり、例えば、全ロッカー内の賞品等を一斉に交換する場合に、共通キーとしての一つの施錠キーだけで順次強制解錠させればよく、逐一、ロッカー毎に異なる解錠キーを用いてロッカーを解錠する手間が省略できる。
【００５２】
そして、この扉用施錠装置は、部品点数が少なく、構造が簡単で故障等が生じにくく、堅牢であり、コンパクトであって、組立も容易で、製造コストが低いものである。
図６、図７においては、扉用施錠装置をロッカーの左掛け扉に装着したものとして示したが、扉用施錠装置をロッカーの縦枠に装着するようにしてもよい。扉用施錠装置をロッカーの縦枠に装着する場合は、扉は右開きとなる。また、扉用施錠装置を上下逆にすれば、右掛け扉に装着することができる。扉用施錠装置を上開き扉、下開き扉に装着してもよいことはいうまでもない。
【００５３】
また、図８に示す施錠装置５１のように、掛け金５２に扉施錠用の切欠係合爪部５３を形成した扉用施錠装置としてもよい。これによれば、回動式の扉だけでなく、スライド式の扉を施錠するようにすることもできる。
【００５４】
この発明の扉用施錠装置としては、前記した実施形態に限られるものではなく種々の変更が可能である。例えば、図１における扉用施錠装置では、掛け金の係合端縁を直線状としたが、これに限られず、掛け金が解錠用カムによって当接係合できればよく、外側に凸状の係合端縁、内側に凹状の係合端縁等であってもよい。また、掛け金の雌ネジに第１軸部を備えた雄ネジを螺合させているが、掛け金に透孔を設け、これにピン等を植設するようにした構造、または、プレス加工等によって、掛け金に突起を形成し、該突起と当接用アームが当接するようにした構造等が採用できる。
【００５５】
また、掛け金、強制解錠操作用レバー、解錠用カムを錠軸の軸心を中心に円滑に回動させるのに、軸受を使用しているが、軸受を必ず必要とするものではなく、回動用の孔を設けた掛け金、回動用の孔を設けた強制解錠操作用レバー、回動用の孔を設けた解錠用カムを、それぞれ直接錠軸に嵌め込むようにしてもよい。また、掛け金、強制解錠操作用レバー、解錠用カムとしても板状のものでなくても、例えば、その一部が補強のため肉厚ブロック状とされたもの等であってもよい。
【００５６】
また、基枠の左側壁が掛け金の解錠位置でのストッパーの機能も果たしているが、これに限られず、例えば、基枠の正面板部に後方に向けてストッパーを延設させるようにしてもよい。また、掛け金の係合端縁が、掛け金の解錠位置ではストッパーと当接する機能を果たし、掛け金の施錠位置では解錠用カムの当接部と当接する機能を果たすといった２つの機能を持つようにしているが、これに限られず、別途、掛け金にその解錠位置でストッパーと当接する突出部を形成し、掛け金の係合端縁は、施錠位置で解錠用カムと当接するのみとしてもよい。また、基枠も平面視コ字状でなくてもよく、正面板部だけに相当する平板であってもよい。また、掛け金とカムにコイルスプリングを掛止して、付勢力を付与するようにしているが、これに限られず、例えば、コイルスプリングに代えゴム弾性体等であってもよい。
以上においては、この発明の扉用施錠装置をゲームセンター等に設置されたロッカーの扉用施錠装置として使用された場合について説明したが、この発明の扉用施錠装置は、ゲームセンター等に設置されたロッカーだけでなく、例えば、受取人が不在の場合に対処するための、宅配用のロッカーの扉用施錠装置としても適したものである。
【００５７】
この発明の扉用施錠装置を、受取人が不在の場合に対処するための宅配用のロッカーに使用した場合は、施錠キーを宅配業者またはロッカーの管理者用とし、解錠キーを受取人用とすればよい。
その使用方法の一例を示すと、以下の通りである。すなわち、受取人が不在の場合、宅配業者は、宅配する品物をロッカー内に収納し、所持しているかまたは管理者から受け取った施錠キーを用いて第１シリンダー錠の施錠操作を行うだけで、扉が施錠できる。施錠キーと解錠キーを抜き取り、解錠キーは受取人の施錠された玄関の郵便受等に投入し、施錠キーは宅配業者が保管するか、管理者に返却する。受取人は、自己のロッカーの解錠キーが抜き取られていること確認し、郵便受等から解錠キーを取り出し、解錠キーを用いて自己のロッカーの第２シリンダー錠の解錠操作を行うだけで扉を解錠でき、品物を受け取ることができる。解錠キーは第２シリンダー錠から抜き取ることができず、そのまま残ることになる。
【００５８】
ところで、いつまでも受取人が解錠キーを操作していないことが推察され、ロッカー内の品物の安全性を確認したり、受取人が解錠キーを操作して自己のロッカーから品物を取り出すより前に、宅配業者が再度他の品物を宅配し、ロッカーを開く必要が生じたりした場合等においては、管理者等が、解錠キーを使用することなく施錠キーを用いてロッカーを解錠することができることになる。管理者等が、施錠キーでロッカーを解錠し、ロッカー内の品物の安全性を確認したり、別の品物をロッカーに追加したりした後は、施錠キーで施錠しておくだけでよい。受取人は、郵便受等から解錠キーを取り出し、ロッカーを解錠することは、前述したと同様である。
【図面の簡単な説明】
【００５９】
【図１】この発明の扉用施錠装置の一形態を示す一部分解斜視図である。
【図２】図１に示す扉用施錠装置の裏蓋を除いた分解斜視図である。
【図３】図１に示す扉用施錠装置の施錠操作の説明図である。
【図４】図１に示す扉用施錠装置の通常解錠操作の説明図である。
【図５】図１に示す扉用施錠装置の強制解錠操作の説明図である。
【図６】図１に示す扉用施錠装置をロッカーに装着した状態を示す平面図である。
【図７】図５に示すロッカーの正面図である。
【図８】図１に示す扉用施錠装置の変形例を示す説明図である。
【符号の説明】
【００６０】
１  扉用施錠装置
２  掛け金
２ｃ  案内端縁
２ｄ  係合端縁
７  第１シリンダー錠
８  第２シリンダー錠
９、１０  錠軸
１８  解錠キー
１９  当接用アーム
２０  強制解錠操作用レバー
２０ｂ  当接突部
２０ｃ  強制解錠用当接縁
２３ｂ  第１軸部
２６  解錠操作用部材
２６ａ  突状部
２７  解錠用カム
２７ｂ  係合部
３０ｂ  第２軸部
３１  筒状体
３２  コイルスプリング
３９  施錠キー
【図１】
2008121262.tif 000003
【図２】
2008121262.tif 000004
【図３】
2008121262.tif 000005
【図４】
2008121262.tif 000006
【図５】
2008121262.tif 000007
【図６】
2008121262.tif 000008
【図７】
2008121262.tif 000009
【図８】
2008121262.tif 000010